(57)【要約】【課題】装置エラーの復旧作業を行う作業員が抜取った確定端数の紙幣やオペレータが誤って抜取った確定端数の紙幣を正しく返却させることができるようにする。【解決手段】前回取引での一定枚数に達しない端数紙幣を確定端数として一時集積部６ａに保持すると共に、確定端数の紙幣枚数を確定端数カウンタ１６ａに記憶しておき、一時集積部６ａに集積された紙幣が抜取られた後、投入口１に紙幣が投入されたとき、その紙幣を鑑別部２に搬送して鑑別、計数した後、一時集積部６ａに集積し、その計数結果と確定端数カウンタ１６ａに記憶された確定端数の紙幣枚数を照合して、一致したとき一時集積部６ａに集積された紙幣をそのまま保持して返却処理を終了させる。【選択図】図１
2009211580.tif 000002
【特許請求の範囲】
【請求項１】
紙幣投入口から搬送されてきた紙幣の鑑別及び計数を行う鑑別部と、この鑑別部で鑑別、計数され一定枚数毎に結束されて束に作成される紙幣を集積する一時集積部とを備え、
一定枚数に達しない端数が一時集積部に集積された状態で処理を終了したとき、その端数の紙幣を確定端数として前記一時集積部に保持すると共に、前記確定端数の紙幣枚数を確定端数記憶手段に記憶する紙幣処理装置において、
前記一時集積部に集積された紙幣が抜取られた後、前記紙幣投入口に紙幣が投入されたとき、その紙幣を前記鑑別部に搬送して鑑別、計数して前記一時集積部に集積すると共に、その計数結果と確定端数記憶手段に記憶された確定端数の紙幣枚数を照合して、一致したとき前記一時集積部に集積された紙幣をそのまま保持して返却処理を終了させることを特徴とする紙幣処理装置。
【請求項２】
請求項１記載の紙幣処理装置において、
前記一時集積部に集積された確定端数の紙幣が抜取られたとき、その旨の情報を記憶する記憶手段を備え、
処理を選択する選択画面で返却の項目が選択された場合、前記記憶手段に確定端数の紙幣が抜取られた情報が記憶されているか否かを確認して、記憶されている場合、前記紙幣投入口に紙幣を投入させて返却処理を行うことを特徴とする紙幣処理装置。
【発明の詳細な説明】
【技術分野】
【０００１】
本発明は、投入された紙幣を計数し、計数した紙幣を一時集積部に集積して、一定枚数毎に紙幣を結束処理する紙幣処理装置に関するものである。
【背景技術】
【０００２】
銀行等の金融機関で運用されている紙幣処理装置として、投入口に投入された紙幣を計数し、計数した紙幣を一時集積部に集積して、一定枚数（例えば１００枚）毎に紙幣を紙テープ等の結束材で結束することにより紙幣束にして保管または放出する装置があり、この装置において結束理終了時に一定枚数未満の端数の紙幣が一時集積部に集積されている場合、その端数紙幣をそのまま一時集積部に保持するようにしている。
【０００３】
このような紙幣処理装置において、装置エラーが発生したときにその復旧作業をする作業員が前記端数紙幣を抜取ったり、あるいはオペレータが誤って端数紙幣を抜取ってしまったりすることがあり、その場合抜取った端数紙幣を次回の処理紙幣と一緒に投入口に投入し、端数紙幣の枚数についてはオペレータがデータ入力を行って、処理枚数に誤差が生じないようにしているが、オペレータに負担がかかるだけでなく、オペレータがデータ入力を間違えると実際の処理紙幣枚数とデータ上の処理紙幣枚数が異なってしまうことになる。
【０００４】
このような不都合を解消するため、装置エラーが発生したときに復旧作業をする作業員が前記端数紙幣を抜取ったり、あるいはオペレータが誤って端数紙幣を抜取った後、その抜取った端数紙幣を次回の処理紙幣と一緒に投入口に投入して計数、及び結束処理を行った場合、計数終了時に今回計数した紙幣枚数から記憶部に記憶した前回分の確定端数を自動減算することで、今回分の処理紙幣枚数データが正確に得られるように制御する装置が提案されている（例えば、特許文献１参照）。
【特許文献１】特開平９−１５３１６８号公報
【発明の開示】
【発明が解決しようとする課題】
【０００５】
しかしながら、上述した従来の技術においては、装置エラーが発生したときに復旧作業をする作業員が確定端数の紙幣を抜取ったり、オペレータが誤って確定端数の紙幣を抜取ったりした場合、抜取り後にその確定端数の紙幣のみ返却しようとしても、それに対応することができないという問題があった。
本発明は、このような問題を解決することを課題とする。
【課題を解決するための手段】
【０００６】
そのため、本発明は、紙幣投入口から搬送されてきた紙幣の鑑別及び計数を行う鑑別部と、この鑑別部で鑑別、計数され一定枚数毎に結束されて束に作成される紙幣を集積する一時集積部とを備え、一定枚数に達しない端数が一時集積部に集積された状態で処理を終了したとき、その端数の紙幣を確定端数として前記一時集積部に保持すると共に、前記確定端数の紙幣枚数を確定端数記憶手段に記憶する紙幣処理装置において、前記一時集積部に集積された紙幣が抜取られた後、前記紙幣投入口に紙幣が投入されたとき、その紙幣を前記鑑別部に搬送して鑑別、計数して前記一時集積部に集積すると共に、その計数結果と確定端数記憶手段に記憶された確定端数の紙幣枚数を照合して、一致したとき前記一時集積部に集積された紙幣をそのまま保持して返却処理を終了させることを特徴とする。
【発明の効果】
【０００７】
このようにした本発明は、装置エラーが発生したときに復旧作業をする作業員が抜取った確定端数の紙幣やオペレータが誤って抜取った確定端数の紙幣を、抜取り後に返却しようとした場合、その返却を受付けて抜取った確定端数の紙幣を正しく返却させることができるという効果が得られる。
【発明を実施するための最良の形態】
【０００８】
以下、図面を参照して本発明による紙幣処理装置の実施例を説明する。
【実施例】
【０００９】
図１は実施例の内部構造を示す概略側面図、図２は図１の上部の拡大図、図３は実施例の外観を示す斜視図、図４は図３の一部分拡大平面図である。
図において１は紙幣の投入部で、装置正面の上部に設けられている。
２は紙幣の真偽、金種、正損、表裏等の鑑別、及び計数を行うと共に、搬送異常の検出を行う鑑別部で、装置内に設けられている。
【００１０】
３は紙幣の搬送路で、この搬送路３については後で説明する。
４は紙幣の表裏反転を行う表裏反転部で、装置内の鑑別部２の後段に位置するように設けられている。
５は結束対象外の金種の紙幣を集積するオープンポケットで、装置の上面に設けられており、このオープンポケット５に集積された紙幣はオペレータが直接アクセスできるものとなっている。
【００１１】
６は装置内下部に設けられた集積機構で、本実施例においてこの集積機構６には縦１列に４つの一時集積部６ａ〜６ｄが並べて配置されていて、各一時集積部６ａ〜６ｄに万、五千、二千、千の４金種の紙幣が金種別にそれぞれ予め定められた枚数、例えば本実施例では１００枚の紙幣が集積できるようになっており、また各一時集積部６ａ〜６ｄには集積された紙幣を検知する図示しない紙幣検知センサが設けられている。
【００１２】
尚、一時集積部は４つに限らず、取扱い金種の数以上であればよい。
７は前記投入部１の一側に設けられた操作部で、この操作部７には紙幣の計数を指示する計数開始ボタン７ａ、装置の障害復旧時に装置を再稼働させるためのリセットボタン７ｂ、処理の完了を指示する完了ボタン７ｃが設けられている。
８は鑑別部２で金種不明と鑑別されたりあるいは搬送異常が検知されたリジェクト紙幣を集積するリジェクトポケットで、前記投入部１の上方に設けられており、このリジェクトポケット８に集積された紙幣にオペレータが直接アクセスできるものとなっている。
【００１３】
９は移送機構、１０は紙幣結束機構で、両者とも装置内に設けられており、移送機構９は一時集積部６ａ〜６ｄに１００枚の紙幣が集積されると、その紙幣を抜取って紙幣結束機構１０に移送するように構成され、紙幣結束機構１０は紙幣移送機構９により移送されてきた紙幣を紙テープ等の結束材で結束して紙幣束を作成するように構成されている。
１１は紙幣結束機構１０で作成された紙幣束を放出する放出口、１２は装置正面に設けられた扉で、この扉１２を開けることでオペレータは集積機構６にアクセスできるものとなっている。
【００１４】
尚、扉１２の開閉は図示しない扉センサにより検知されるものとなっている。
１３は装置上面においてオープンポケット５の後方に位置するように設けられた操作表示部で、ＬＣＤ等の表示手段とその表面に配置した入力手段であるタッチパネルによって構成されており、オペレータはこの操作表示部１３を操作してモードの指定や、一時集積部６ａ〜６ｄに集積する紙幣の金種、集積順序等の設定を行うものとなっている。
【００１５】
また、この操作表示部１３には鑑別部２で鑑別された紙幣の金種や正損及び計数結果等の表示も行われる。
ここで搬送路３について説明すると、装置内の上部において搬送路３は図２に示したように３ａ〜３ｄから成り、搬送路３ａは投入部１から鑑別部２を経て分岐点Ａにいたるように設けられ、搬送路３ｂは分岐点Ａからリジェクトポケット８にいたるように設けられている。
【００１６】
また、搬送路３ｃは分岐点Ａから表裏反転部４を経て分岐点Ｂにいたるように設けられており、そして搬送路３ｄは分岐点Ｂから図１に示したように装置の下部に伸びて集積機構６の一時集積部６ａ〜６ｄに沿うように設けられ、更に搬送路３ｅは分岐点Ｂからオープンポケット５にいたるように設けられている。
尚、分岐点Ａ、Ｂのそれぞれの近傍には紙幣の搬送方向を切替える図示しない切替えブレードが設けられ、後述する制御部により動作制御されるものとなっている。
【００１７】
図５は紙幣の計数処理に係わる制御系のブロック図である。
図において１４は本紙幣処理装置全体の動作処理制御を行う制御部、１５ａ〜１５ｄ、及び１６ａ〜１６ｄはカウンタで、これらの各カウンタは一時集積部６ａ〜６ｄに対応させて設けられており、カウンタ１５ａ〜１５ｄは一時集積部６ａ〜６ｄにそれぞれ集積された紙幣の枚数をカウントする紙幣枚数カウンタとして用いられ、またカウンタ１６ａ〜１６ｄは前回の取引の確定端数の紙幣枚数（前回の処理終了時に一時集積部６ａ〜６ｄに残留した一定枚数未満の紙幣枚数）を記憶する確定端数カウンタ（確定端数記憶手段）として用いられる。
【００１８】
そして紙幣枚数カウンタ１５ａ〜１５ｄのカウント値は、結束枚数である１００枚をカウントした後、その紙幣が移送機構９によって抜取られるか、または紙幣枚数カウンタ１５ａ〜１５ｄでカウントされた前回取引の確定端数分の端数紙幣枚数が確定端数カウンタ１６ａ〜１６ｄに記憶された後「０」にクリアされるものとなっている。
１７は記憶部で、制御部１４が本紙幣処理装置全体の動作処理制御を実行するための制御プログラムや、操作表示部１３に表示する各種画面の画面データ等を記憶している。
【００１９】
図６は上述した構成による実施例の作用を示すフローチャートで、この図にＳで示したステップに従って実施例の作用を説明する。
尚、本実施例の処理は集積機構６の一時集積部６ａ〜６ｄに集積されるにすべての紙幣ついて行われるものであるが、説明の煩雑さを避けるため一時集積部６ａに集積する紙幣を例にして説明する
まず、前回確定端数分の端数紙幣が一時集積部６ａに集積されていた状態で装置エラーが発生し、その復旧作業をする作業員が一時集積部６ａから端数紙幣を抜取るか、またはオペレータが誤って一時集積部６ａに集積されていた端数紙幣を抜取ると、その端数紙幣の抜き取りにおいては、装置正面に設けられた扉１２の開閉を要するので、前回確定端数分の端数紙幣が一時集積部６ａに集積されているとき、扉１２の開閉が図示しない扉センサにより検知され、かつ一時集積部６ａに集積されている紙幣を検知する紙幣検知センサの出力が紙幣有りから紙幣無しに変化した場合、制御部１４は一時集積部６ａに集積されていた端数紙幣が抜取られたものと認識して、その旨の情報および抜取られた紙幣の金種を記憶部１７に記憶させる。
【００２０】
このとき、確定端数カウンタ１６ａには前回取引の確定端数分の紙幣枚数が記憶されている。
一方、装置使用時には操作表示部１３に装置が実行可能な、計数、入金、結束（束作成）等の処理を選択する処理選択画面が表示されるが、本実施例における処理選択画面には紙幣の返却の項目が設けられている。
【００２１】
そこで、この処理選択画面で紙幣の返却の項目が選択されると（Ｓ１）、制御部１４は一時集積部６ａからの端数紙幣の抜取りの有無を記憶部１７に記憶内容により確認し（Ｓ２）、端数紙幣が抜取られた旨の情報が記憶部１７に記憶されていない場合は、別の処理項目を選択するように促すメッセージを配した画面を操作表示部１３に表示して（Ｓ３）処理を終了する。
【００２２】
端数紙幣が抜取られた旨の情報が記憶部１７に記憶されていた場合、制御部１４は紙幣の返却を受付け、紙幣の投入を促すメッセージを配した画面を操作表示部１３に表示する。
これにより作業員またはオペレータ（以下オペレータ等）が紙幣を投入口１に投入し（Ｓ４）、操作部７の計数開始ボタン７ａを押下すると、投入された紙幣は１枚ずつ分離され搬送路３ａにより鑑別部２に搬送されて金種鑑別および搬送異常の検知が行われる（Ｓ５）。
【００２３】
その結果、金種不明や搬送異常等によりリジェクトと鑑別された紙幣は搬送路３ｂによりリジェクトポケット８に搬送されて集積される。
このリジェクトポケット８に集積された紙幣はオペレータ等により必要に応じて投入口１に再投入される。
鑑別部２で、金種が鑑別された正常な紙幣に対しては、制御部１４が記憶部１７に記憶されている抜取られた紙幣の金種と同一か否かを判断し、同一であれば紙幣枚数カウンタ１５ａのカウント値に「１」を加算する計数を行い（Ｓ６）、計数された紙幣は搬送路３ｃ、３ｄにより集積機構６に搬送され一時集積部６ａに集積される。
【００２４】
尚、金種が同一でないと判断された紙幣も搬送路３ｂによりリジェクトポケット８に搬送されて集積される。
その後、制御部１４は投入口１に投入された紙幣の計数が終了したか否を、投入口１に設けられている図示しないセンサの紙幣検知結果から判断し（Ｓ７）、終了していない場合はＳ５、Ｓ６の処理を繰返す。
【００２５】
投入口１に投入された紙幣の計数が終了し、その集積が終了すると制御部１４は計数結果としてカウンタ１５ａのカウント値と紙幣の金種を操作表示部１３に画面表示する（Ｓ８）。
この画面を見てオペレータ等が再び紙幣を投入口１に投入して、操作部７の計数開始ボタン７ａを押下すると、前記と同様に紙幣の鑑別計数が行われるが、オペレータ等が完了ボタン７ａを押下すると、制御部１４は紙幣枚数カウンタ１５ａのカウント値と確定端数カウンタ１６ａに記憶されている前回処理の確定端数分の紙幣枚数とを照合して一致するか否かを判断する（Ｓ９）。
【００２６】
そして、一致した場合は抜取られた確定端数の紙幣が正しく返却されたものとして一時集積部６ａに集積された紙幣をそのまま保持し、紙幣枚数カウンタ１５ａのカウント値を「０」にクリアして処理を終了する。
一致しない場合、確定端数の紙幣が正しく返却されなかったものとして制御部１４は操作表示部１３に「前回処理の確定端数と一致しません。再処理をしてください」等の再処理を促すメッセージを配した画面を表示し（Ｓ１０）、更に制御部１４は一時集積部６ａの紙幣を移送機構９に抜取らせて紙幣結束機構１０に移送させ、紙幣結束機構１０により紙幣を紙幣束に作成して放出口１１から放出させることによりオペレータ等に受取らせ（Ｓ１１）、紙幣枚数カウンタ１５ａのカウント値を「０」にクリアして処理を終了する。
【００２７】
以上説明した実施例によれば、装置エラーが発生したときに復旧作業をする作業員が抜取った確定端数の紙幣やオペレータが誤って抜取った確定端数の紙幣を、抜取り後に返却しようとした場合、その返却を受付けて抜取った確定端数の紙幣を正しく返却させることができるという効果が得られる。
尚、上述した実施例では前回処理の確定端数分の紙幣枚数を確定端数カウンタ１６ａ〜１６ｄに記憶するものとしたが、記憶部１７を確定端数記憶手段として前回処理の確定端数分の紙幣枚数を記憶させることも可能である。
【図面の簡単な説明】
【００２８】
【図１】実施例の内部構造を示す概略側面図
【図２】図１の上部の拡大図
【図３】実施例の概観を示す斜視図
【図４】図３の一部分拡大図
【図５】紙幣計数に係わる制御系を示すブロック図
【図６】実施例の作用を示すフローチャート
【符号の説明】
【００２９】
１  投入口
２  鑑別部
３  搬送路
５  オープンポケット
６  集積機構
６ａ〜６ｄ  一時集積部
９  移送機構
１０  紙幣結束機構
１３  操作表示部
１４  制御部
１５ａ〜１５ｄ  紙幣枚数カウンタ
１６ａ〜１６ｄ  確定端数カウンタ
１７  記憶部
【図１】
2009211580.tif 000003
【図２】
2009211580.tif 000004
【図３】
2009211580.tif 000005
【図４】
2009211580.tif 000006
【図５】
2009211580.tif 000007
【図６】
2009211580.tif 000008